(57)【要約】      （修正有）【課題】組み立ての手法が簡単であり、採用すべき金型が少なく、製造用コストが低いＴＹＰＥ−Ｃコネクタの端子モジュールを提供する。【解決手段】ＴＹＰＥ−Ｃコネクタの端子モジュール１００は、第一絶縁本体１、第二絶縁本体２、第一絶縁本体に設けられる第一端子群３、第二端子群４及びスペーサ５を含む。スペーサは、第一絶縁本体内に埋め込まれ、端子座を形成し、第一端子群及び第二端子群は、端子座に組み立てられ、端子手段を形成しており、端子手段は、第二絶縁本体に埋め込まれる。【選択図】図３
0003233155.tif 000002
【実用新案登録請求の範囲】
【請求項１】
第一絶縁本体（１）と、
第二絶縁本体（２）と、
前記第一絶縁本体（１）に設けられる第一端子群（３）、第二端子群（４）及びスペーサ（５）と、を含み、
前記スペーサ（５）は、前記第一絶縁本体（１）内に埋め込まれ、端子座（１０）を形成し、
前記第一端子群（３）と前記第二端子群（４）とは、前記端子座（１０）に組み立てられ、端子手段（２０）を形成し、
前記端子手段（２０）は、前記第二絶縁本体（２）内に埋め込まれる、ことを特徴とするＴＹＰＥ−Ｃコネクタの端子モジュール（１００）。
【請求項２】
前記第一絶縁本体（１）は、嵌合方向において先端に設置される基部（１１）を含み、前記スペーサ（５）は、前記基部（１１）内に埋め込まれる、ことを特徴とする請求項１に記載のＴＹＰＥ−Ｃコネクタの端子モジュール（１００）。
【請求項３】
前記基部（１１）は、上面（１１１）及び前記上面（１１１）に対向する底面（１１２）を含み、前記スペーサ（５）は、前記上面（１１１）と前記底面（１１２）との間に位置する、ことを特徴とする請求項２に記載のＴＹＰＥ−Ｃコネクタの端子モジュール（１００）。
【請求項４】
前記上面（１１１）には、第一取り付け溝（１１４）が設けられ、前記第一絶縁本体（１）は、嵌合方向において前記基部（１１）の後端に設置される突出部（１２）をさらに含み、前記突出部（１２）には、第一固定溝（１２４）が設けられ、前記第一端子群（３）は、前記第一取り付け溝（１１４）と前記第一固定溝（１２４）とに組み立てられる、ことを特徴とする請求項３に記載のＴＹＰＥ−Ｃコネクタの端子モジュール（１００）。
【請求項５】
前記第一端子群（３）は、一つ以上の第一導電端子を含み、前記第一導電端子は、嵌合方向において先端に設置される第一当接部（３１）、及び、後端に設置される第一溶接部（３４）を含み、前記第一当接部（３１）は、前記上面（１１１）より突出しており、前記第一溶接部（３４）は、前記突出部（１２）に延出される、ことを特徴とする請求項４に記載のＴＹＰＥ−Ｃコネクタの端子モジュール（１００）。
【請求項６】
前記底面（１１２）には、第二取り付け溝（１１５）が設けられ、前記突出部（１２）には、第二固定溝（１２５）をさらに有しており、前記第二端子群（４）は、前記第二取り付け溝（１１５）と第二固定溝（１２５）とに組み立てられる、ことを特徴とする請求項５に記載のＴＹＰＥ−Ｃコネクタの端子モジュール（１００）。
【請求項７】
前記第二端子群（４）は、一つ以上の第二導電端子を含み、前記第二導電端子は、嵌合方向において先端に設置される第二当接部（４１）及び後端に設置される第二溶接部（４４）を含み、前記第二当接部（４１）は、前記底面（１１２）より突出しており、前記第二溶接部（４４）は、前記突出部（１２）に延出される、ことを特徴とする請求項６に記載のＴＹＰＥ−Ｃコネクタの端子モジュール（１００）。
【請求項８】
前記第一導電端子は、嵌合方向において第一当接部（３１）の後端に設置される第一取り付け部（３２）及び前記第一取り付け部（３２）の後端に設置される第一固定部（３３）をさらに含み、前記第一取り付け部（３２）は、前記第一取り付け溝（１１４）に固定され、前記第一固定部（３３）は、前記第一固定溝（１２４）に固定される、ことを特徴とする請求項７に記載のＴＹＰＥ−Ｃコネクタの端子モジュール（１００）。
【請求項９】
前記第二導電端子は、嵌合方向において前記第二当接部（４１）の後端に設置される第二取り付け部（４２）及び前記第二取り付け部（４２）の後端に設置される第二固定部（４３）をさらに含み、前記第二取り付け部（４２）は、前記第二取り付け溝（１１５）に固定され、前記第二固定部（４３）は、前記第二固定溝（１２５）に固定される、ことを特徴とする請求項８に記載のＴＹＰＥ−Ｃコネクタの端子モジュール（１００）。
【請求項１０】
前記第一当接部（３１）、前記第一溶接部（３４）、前記第二当接部（４１）及び前記第二溶接部（４４）は、一部或いは全体が前記第二絶縁本体（２）の外部に突出する、ことを特徴とする請求項９に記載のＴＹＰＥ−Ｃコネクタの端子モジュール（１００）。
【考案の詳細な説明】
【技術分野】
【０００１】
本願は、２０２１年０２月２６日に中国国家知的財産権局に提出された、「ＴＹＰＥ−Ｃコネクタの端子モジュール」という名称の中国特許出願第２０２１２０４３６２２２．３号の優先権を主張する。前述の特許出願の開示は、その全体が参照により本明細書に組み込まれる。
本考案は、ＴＹＰＥ−Ｃコネクタの端子モジュールに関し、電気コネクタの分野に関する。
【背景技術】
【０００２】
科学技術の発展に伴い、様々な電子製品が続けて登場しており、異なる電子製品に対応する複数の種類のコネクタも合わせて登場してきた。ＵＳＢのコネクタは、電気コネクタにおいて、その適用が最も幅広く、最も普通であるコネクタの一つに該当しており、数多くの電子装置に、ＵＳＢコネクタが搭載されている。現在に、ＵＳＢＴＹＰＥ−Ｃコネクタは、正方向・反対方向に挿入され得るコネクタとして、幅広く適用されている。
【０００３】
ＴＹＰＥ−Ｃコネクタの端子モジュールは、上端サブ座、上端サブ群、下端サブ座、下端サブ群、スペーサ及び絶縁部を含む。現在の形成プロセスは、まず、上端サブ群と上端サブ座を上端サブモジュールとして射出成形し、次に、下端サブ群と下端サブ座を下端サブモジュールとして射出成形してから、スペーサを上端子モジュールと下端子モジュールとの間に組み立て、最後に、上端サブモジュール、下端サブモジュール及びスペーサに、絶縁部を射出成形するということである。しかしながら、このプロセスにおいて三回の射出成形が必要であることから、必要な射出金型が比較的多く、手法が比較的複雑であり、金型のコスト及び人的なコストが比較的高い。
【考案の概要】
【考案が解決しようとする課題】
【０００４】
本考案は、コストが比較的低く、組み立ての手法が簡単であるＴＹＰＥ−Ｃコネクタの端子モジュールを提供することを目的とする。
【０００５】
本考案は、組み立ての手法が簡単であり、コストが低いＴＹＰＥ−Ｃコネクタの端子モジュールを提供することを目的とする。
【課題を解決するための手段】
【０００６】
本考案は、上記の目的を達成するために、以下の技術的手段を採用している。
ＴＹＰＥ−Ｃコネクタの端子モジュールは、第一絶縁本体と、第二絶縁本体と、前記第一絶縁本体に設けられる第一端子群、第二端子群及びスペーサとを含み、前記スペーサは、前記第一絶縁本体に埋め込まれ、端子座を形成しており、前記第一端子群及び前記第二端子群は、前記端子座に組み立てられ、端子手段を形成し、前記端子手段は、前記第二絶縁本体に埋め込まれる。
【０００７】
好ましくは、前記第一絶縁本体が嵌合方向において先端に設置される基部を含み、前記スペーサは、前記基部に埋め込まれる。
【０００８】
好ましくは、前記基部は、上面と前記上面に対向する底面とを含み、前記スペーサは、前記上面と前記底面との間に位置する。
【０００９】
好ましくは、前記上面には、第一取り付け溝が設けられ、前記第一絶縁本体は、嵌合方向において前記基部の後端に設置にされる突出部をさらに含み、前記突出部には、第一固定溝が設けられ、前記第一端子群は、前記第一取り付け溝と前記第一固定溝とに組み立てられる。
【００１０】
好ましくは、前記第一端子群は、一つ以上の第一導電端子を含み、前記第一導電端子は、嵌合方向において先端に設置される第一当接部及び後端に設置される第一溶接部を含み、前記第一当接部は、前記上面に突出しており、前記第一溶接部は、前記突出部に延出される。
【００１１】
好ましくは、前記底面には、第二取り付け溝が設けられ、前記突出部は、第二固定溝をさらに有しており、前記第二端子群は、前記第二取り付け溝と第二固定溝とに組み立てられる。
【００１２】
好ましくは、前記第二端子群は、一つ以上の第二導電端子を含み、前記第二導電端子は、嵌合方向において先端に設置される第二当接部及び後端に設置される第二溶接部を含み、前記第二当接部は、前記底面に突出しており、前記第二溶接部は、前記突出部に延出される。
【００１３】
好ましくは、前記第一導電端子は、嵌合方向において第一当接部の後端に設置される第一取り付け部及び前記第一取り付け部の後端に設置される第一固定部をさらに含み、前記第一取り付け部は、前記第一取り付け溝に固定され、前記第一固定部は、前記第一固定溝に固定される。
【００１４】
好ましくは、前記第二導電端子は、嵌合方向において前記第二当接部の後端に設置される第二取り付け部及び前記第二取り付け部の後端に設置される第二固定部をさらに含み、前記第二取り付け部は、前記第二取り付け溝に固定され、前記第二固定部は、前記第二固定溝に固定される。
【００１５】
好ましくは、前記第一当接部、前記第一溶接部、前記第二当接部及び前記第二溶接部は、一部或いは全体が前記第二絶縁本体の外部に突出する。
【考案の効果】
【００１６】
本考案は、従来技術に比べると、その有益な効果が以下の通りである。本考案は、第一絶縁本体をスペーサに射出成形してから、第一端子群と第二端子群とを組み立て第二絶縁本体を射出成形することにより、二回の射出成形だけで本考案に係る製造と生産組み立てを済ませることができ、組み立ての手法が簡単であり、そのプロセスが比較的少なく、しかも、必要な金型が少なく、製造用コストが低く、普及と応用に資することが可能である。
【図面の簡単な説明】
【００１７】
【図１】本考案に係るＴＹＰＥ−Ｃコネクタの端子モジュールの立体図である。
【図２】図１を他の視点から見た立体図である。
【図３】図２の一部の分解立体図である。
【図４】図３を他の視点から見た更なる分解立体図である。
【図５】図３の全体の分解立体図である。
【図６】第一絶縁本体の立体図である。
【図７】図６を他の視点から見た立体図である。
【考案を実施するための形態】
【００１８】
本考案に係る目的、技術的手段及び利点をより明確に理解するように、以下に図面及び実施例に基づいて、本考案をより詳しく説明していく。以下の記載における「接続」、「取り付け」、「固定」などの表現は、特別な断りがない限り、直接に接続され、取り付けられ、固定されてもよいし、間接に接続され、取り付けられ、固定されてもよく、つまり、第三者の物質の介在が許可される。「第一」、「第二」の表現は、様々な素子を記載するために用いられるものの、これらの素子がこれらの表現により限定されておらず、この用語は、説明する対象を区別するものに過ぎず、如何なる順番や技術的意味も有さない。
【００１９】
図１乃至図７に示されるように、本考案に係るＴＹＰＥ−Ｃコネクタの端子モジュール１００は、第一絶縁本体１と、第二絶縁本体２と、前記第一絶縁本体１に設けられる第一端子群３、第二端子群４及びスペーサ５とを含む。前記スペーサ５は、前記第一絶縁本体１に埋め込まれ端子座１０を形成しており、前記第一端子群３及び前記第二端子群４は、前記端子座１０に組み立てられ、端子手段２０を形成し、前記端子手段２０は、前記第二絶縁本体２に埋め込まれ、前記ＴＹＰＥ−Ｃコネクタの端子モジュール１００を形成する。
【００２０】
図４及び図６を参照すると、前記第一絶縁本体１は、基部１１と、前記基部１１から垂直に延出される突出部１２とを含み、前記スペーサ５は、前記基部１１に埋め込まれており、前記第一端子群３及び前記第二端子群４は、それぞれ、前記第一絶縁本体１における対向する両側に取り付けられ、前記スペーサ５により隔てられる。
【００２１】
図４に示されるように、前記第一端子群３は、一つ以上の第一導電端子からなり、嵌合方向に延出されると共に平板状とされる第一当接部３１と、嵌合方向に延出されると共に嵌合方向において前記第一当接部３１の後端に設置される第一取り付け部３２と、嵌合方向において前記第一取り付け部３２の後端に設置される第一固定部３３と、前記第一固定部３３における前記第一取り付け部３２から離れた一端に設置される第一溶接部３４とを含む。好ましくは、前記第一固定部３３が前記第一取り付け部３２に垂直して設置されており、さらに、前記第一溶接部３４が前記第一固定部３３に垂直して設置される。
【００２２】
前記第二端子群４は、一つ以上の第二導電端子からなり、嵌合方向に延出されると共に平板状とされる第二当接部４１と、嵌合方向において延出されると共に前記第二当接部４１の後端に設置される第二取り付け部４２と、前記第二取り付け部４２における前記第二当接部４１から離れた一端に設置される第二固定部４３と、前記第二固定部４３における前記第二取り付け部４２から離れた一端に設置される第二溶接部４４とを含む。好ましくは、前記第二固定部４３が前記第二取り付け部４２に垂直して設置されており、さらに、前記第二溶接部４４が前記第二固定部４３に垂直して設置される。
【００２３】
前記基部１１は、前記スペーサ５の上方に位置する上面１１１と、前記上面１１１に対向すると共に前記スペーサ５の下方に位置する底面１１２とを含み、前記突出部１２は、後側面１２１と前記後側面１２１に対向する前側面１２２とを含む。
【００２４】
図６及び図７に示されるように、前記基部１１には、前記上面１１１から下方へ凹まれ形成される第一取り付け溝１１４と前記底面１１２から上方へ凹まれ形成される第二取り付け溝１１５とが設けられ、前記突出部１２は、前記後側面１２１から前方へ凹まれ形成される第一固定溝１２４と、前記前側面１２２から後方へ凹まれ形成される第二固定溝１２５とを有する。前記第一取り付け溝１１４は、前記第一端子群３の前記第一取り付け部３２を取り付けるためのものであり、前記第二取り付け溝１１５は、前記第二端子群４の前記第二取り付け部４２を取り付けるためのものであり、前記第一固定溝１２４は、前記第一端子群３の前記第一固定部３３を固定するためのものであり、前記第二固定溝１２５は、前記第二端子群４の前記第二固定部４３を固定するためのものである。前記第一当接部３１は、前記上面１１１に突出し、前記第二当接部４１は、前記底面１１２に突出しており、前記第一溶接部３４及び前記第二溶接部４４は、前記突出部１２に延出される。
【００２５】
前記第一端子群３及び前記第二端子群４は、前記端子座１０（前記スペーサ５が埋め込まれる前記第一絶縁本体１）に埋め込まれ、前記端子手段２０を形成しており、前記第二絶縁本体２は、前記端子手段２０と共に一体として射出成型され、前記ＴＹＰＥ−Ｃコネクタの端子モジュール１００を形成する。射出成型が終わった場合に、前記第一端子群３における前記第一当接部３１及び前記第一溶接部３４、及び、前記第二端子群４における前記第二当接部４１及び前記第二溶接部４４は、一部或いは全体が前記第二絶縁本体２の外部に突出しており、前記端子手段２０は、その一部或いは全体が前記第二絶縁本体２に埋め込まれる。
【００２６】
本考案は、ＴＹＰＥ−Ｃコネクタの端子モジュール１００を形成するプロセスが以下の通りである。まず、前記スペーサ５と前記第一絶縁本体１とを一体として射出成形して前記端子座１０を形成する。次に、前記第一端子群３及び前記第二端子群４を、それぞれ、前記端子座１０に組み立て、前記端子手段２０を形成する。最後、端子手段２０と前記第二絶縁本体２とを、一体として射出成形して前記ＴＹＰＥ−Ｃコネクタの端子モジュール１００を形成する。
【００２７】
本考案において、ＴＹＰＥ−Ｃコネクタの端子モジュール１００の前記スペーサ５は、前記第一絶縁本体１に埋め込まれ、前記端子座１０を形成し、前記第一端子群３及び前記第二端子群４は、前記端子座１０に取り付けられ、前記端子手段２０を形成し、前記端子手段２０は、前記第二絶縁本体２と共に、一体として射出成形され、前記ＴＹＰＥ−Ｃコネクタの端子モジュール１００を形成することにより、組み立ての手法を簡単にして、金型のコストを省くことができる。
【００２８】
説明するべきところは、本考案に係る記載において、「上」、「下」、「前」、「後」、「左」、「右」、「鉛直」、「水平」、「先端」、「底部」、「内」、「外」などの用語が示す方位や位置関係は、図面に基づいて示される方位や位置関係であり、本考案を簡便に説明し、記載を簡単化にするためのものに過ぎず、係る装置や素子が必ず特定の方位を指示したり暗示にしたりするものであって、特定の方位により構造と操作を実施するわけではないことから、本考案を限定するものとして理解されるべきではない。
【００２９】
以上の実施例は、本考案を説明するものに過ぎず、本考案に記載されている技術的手段を限定するものではない。本明細書への理解については、当業者に基づくものであり、例えば、「前」、「後」、「左」、「右」、「上」、「下」などの方向性の記載については、本明細書において、上記の実施例を参照して本考案を詳しく説明したが、当業者が、依然として、本考案を補正したり、均等置換したりすることが可能であり、本考案の趣旨及び範囲を逸脱しないあらゆる技術的手段及びその改良が、いずれも、本考案の特許請求の範囲に含まれるということが当業者にとって理解されるべきである。
【図１】
0003233155.tif 000003
【図２】
0003233155.tif 000004
【図３】
0003233155.tif 000005
【図４】
0003233155.tif 000006
【図５】
0003233155.tif 000007
【図６】
0003233155.tif 000008
【図７】
0003233155.tif 000009